(57)【特許請求の範囲】
【請求項１】
テレビ放送データを受信可能な放送受信端末装置であって、
前記テレビ放送データとして受信した３Ｄ画像を表示する表示画面に対向するユーザの現在位置を取得する取得手段と、
この取得手段によって取得したユーザの現在位置が前記３Ｄ画像を立体視するのに適した適正範囲内にあるか否かを判別する判別手段と、
前記判別手段によって適正範囲内にあると判別された場合に、前記３Ｄ画像を前記表示画面に表示させ、適正範囲内にないと判別された場合に、前記表示画面に前記３Ｄ画像に代わって当該３Ｄ画像を２Ｄ変換した２Ｄ画像を切り替え表示させるとともに、前記３Ｄ画像を録画させる制御手段と
を具備したことを特徴とする放送受信端末装置。
【請求項２】
前記判別手段は、前記３Ｄ画像の表示開始以降にユーザの現在位置が適正範囲内にあるか否かを判別し、
前記制御手段は、前記３Ｄ画像の表示を開始する際に前記判別手段によって適正範囲内にあると判別された場合に、前記３Ｄ画像を前記表示画面に表示させ、前記３Ｄ画像の表示開始後に前記判別手段によって適正範囲内にないと判別された場合に、それ以降に受信した３Ｄ画像を録画させるとともに、前記表示画面に３Ｄ画像に代わって当該３Ｄ画像を２Ｄ変換した２Ｄ画像を切り替え表示させる、
ようにしたことを特徴とする請求項１記載の放送受信端末装置。
【請求項３】
前記制御手段は、前記３Ｄ画像の表示を開始する際に前記判別手段によって適正範囲内にあると判別された場合に、前記３Ｄ画像を前記表示画面に表示させ、前記３Ｄ画像の表示開始後に前記判別手段によって適正範囲内にないと判別された場合に、それ以降に受信した３Ｄ画像を録画させるとともに、前記表示画面に前記３Ｄ画像に代わって当該３Ｄ画像を２Ｄ変換した２Ｄ画像を切り替え表示させるほか、この録画開始後に前記判別手段によって適正範囲内にあると判別された場合に、その録画された前記３Ｄ画像を再生させる、
ようにしたことを特徴とする請求項２記載の放送受信端末装置。
【請求項４】
前記制御手段は、前記表示画面に３Ｄ画像に代わって２Ｄ画像を切り替え表示させる際に、当該表示画面を照明するバックライトの輝度を落とす制御を行う、
ようにしたことを特徴とする請求項１乃至３のいずれかに記載の放送受信端末装置。
【請求項５】
前記制御手段は、前記表示画面に３Ｄ画像に代わって２Ｄ画像を切り替え表示させた後において前記判別手段によって適正範囲内にあると判別された場合に、当該２Ｄ画像に代わって３Ｄ画像を表示させる、
ようにしたことを特徴とする請求項１記載の放送受信端末装置。
【請求項６】
前記判別手段は、前記３Ｄ画像の表示を開始する際にユーザの現在位置が適正範囲内にあるか否かを判別し、
前記制御手段は、前記３Ｄ画像の表示を開始する際に前記判別手段によって適正範囲内にないと判別された場合に、前記表示画面に前記３Ｄ画像に代わって当該３Ｄ画像を２Ｄ変換した２Ｄ画像の切り替え表示を開始させるとともに、前記３Ｄ画像の録画を開始させる、
ようにしたことを特徴とする請求項１記載の放送受信端末装置。
【請求項７】
前記判別手段は、前記受信したテレビ放送データが３Ｄ画像を含む３Ｄ放送か否かを判別するほか、３Ｄ放送を受信した場合に前記ユーザの現在位置が前記適正範囲内にあるか否かを判別する、
ようにしたことを特徴とする請求項１記載の放送受信端末装置。
【請求項８】
前記取得手段は、前記表示画面に対向するユーザを撮影した撮影画像を認識して左右の眼の位置をユーザの現在位置として取得し、
前記判別手段は、前記取得手段によって取得した左右の眼の位置が適正範囲内にあるか否かを判別する、
ようにしたことを特徴とする請求項１記載の放送受信端末装置。
【請求項９】
前記取得手段は、前記表示画面からユーザまでの距離を測定した測定結果をユーザの現在位置として取得し、
前記判別手段は、前記取得手段によって取得した距離が適正範囲内にあるか否かを判別する、
ようにしたことを特徴とする請求項１記載の放送受信端末装置。
【請求項１０】
前記取得手段は、前記表示画面にユーザが正対しているか否かの検出結果をユーザの現在位置として取得し、
前記判別手段は、前記取得手段によって検出結果に応じて適正範囲内にあるか否かを判別する、
ようにしたことを特徴とする請求項１記載の放送受信端末装置。
【請求項１１】
コンピュータに対して、
テレビ放送データとして受信した３Ｄ画像を表示する表示画面に対向するユーザの現在位置を取得するステップと、
前記取得したユーザの現在位置が前記３Ｄ画像を立体視するのに適した適正範囲内にあるか否かを判別するステップと、
前記判別結果によって適正範囲内にあると判別された場合に、前記３Ｄ画像を前記表示画面に表示させ、適正範囲内にないと判別された場合に、前記表示画面に前記３Ｄ画像に代わって当該３Ｄ画像を２Ｄ変換した２Ｄ画像を切り替え表示させるとともに、前記３Ｄ画像を録画させるべく制御するステップと
を実現させるためのプログラム。
【発明の詳細な説明】
【技術分野】
【０００１】
この発明は、テレビ放送データを受信可能な放送受信端末装置及びプログラムに関する。
【背景技術】
【０００２】
近年、眼鏡を使用しないで３Ｄ（３次元）表示が可能な技術としては、左右の眼の視差を利用した立体画像表示方式（視差バリア方式やレンティキュラー方式）が周知であるが、３Ｄ表示を適正に視覚可能とするためには、表示画面に対してユーザの眼の位置（正視位置）が重要な要素となる。すなわち、ユーザの位置が立体視表示を視覚可能な位置から外れてしまうと、ぶれた画像を視認することになる。そこで、従来では、ぶれた画像を見ないようにするために３Ｄ画像から２Ｄ画像に切り替えて表示するようにした技術が存在している。（特許文献１参照）。
【特許文献１】特開２００４−１５３４８９号公報
【発明の開示】
【発明が解決しようとする課題】
【０００３】
しかしながら、上述した先行技術にあっては、上述の表示切り替えをユーザ自身が行う必要があるほか、例えば、テレビ放送（３Ｄ放送）の映像（３Ｄ画像）を受信して視聴しようとしても、ぶれた３Ｄ画像をそのまま見続けるか、２Ｄ画像に切り替えて見るしかない場合があった。すなわち、ユーザの視聴位置が自然にずれてしまったようなときには、視聴位置を正せば良いが、何らかの事情によって視聴位置をずらさなければならないようなときには、ぶれた３Ｄ画像をそのまま見続けるか、２Ｄ画像に切り替えて見るしかなかった。
【０００４】
この発明の課題は、ユーザが３Ｄ画像を良好に立体視できない位置にいたとしても、ユーザに特別な操作を要求することなく、後でその３Ｄ画像を見ることができるようにすることである。
【課題を解決するための手段】
【０００５】
本発明の放送受信端末装置は、上述した課題を解決するために請求項１記載の発明は、テレビ放送データを受信可能な放送受信端末装置であって、前記テレビ放送データとして受信した３Ｄ画像を表示する表示画面に対向するユーザの現在位置を取得する取得手段と、この取得手段によって取得したユーザの現在位置が前記３Ｄ画像を立体視するのに適した適正範囲内にあるか否かを判別する判別手段と、この判別手段による判別結果に基づいて前記３Ｄ画像の表示と録画とを制御する制御手段と、前記判別手段によって適正範囲内にあると判別された場合に、前記３Ｄ画像を前記表示画面に表示させ、適正範囲内にないと判別された場合に、前記表示画面に前記３Ｄ画像に代わって当該３Ｄ画像を２Ｄ変換した２Ｄ画像を切り替え表示させるとともに、前記３Ｄ画像を録画させる制御手段とを具備したことを特徴とする放送受信端末装置である。
【００１８】
本発明のプログラムは、コンピュータに対して、テレビ放送データとして受信した３Ｄ画像を表示する表示画面に対向するユーザの現在位置を取得するステップと、前記取得したユーザの現在位置が前記３Ｄ画像を立体視するのに適した適正範囲内にあるか否かを判別するステップと、前記判別結果に基づいて前記３Ｄ画像の表示と録画とを制御するステップと、前記判別結果によって適正範囲内にあると判別された場合に、前記３Ｄ画像を前記表示画面に表示させ、適正範囲内にないと判別された場合に、前記表示画面に前記３Ｄ画像に代わって当該３Ｄ画像を２Ｄ変換した２Ｄ画像を切り替え表示させるとともに、前記３Ｄ画像を録画させるべく制御するステップとを実現させることを特徴とするプログラムである。
【発明の効果】
【００２０】
この発明によれば、ユーザが３Ｄ画像を良好に立体視できない位置にいても、ユーザに特別な操作を要求することなく、後でその３Ｄ画像を見ることができ、操作性の向上と共に、３Ｄ画像の見逃しを効果的に防ぐことが可能となる。
【発明を実施するための最良の形態】
【００２１】
以下、図１〜図６を参照して本発明の実施形態を説明する。
この実施形態は、放送受信端末装置として、テレビ放送受信機能を備えた携帯電話装置に適用した場合を例示したもので、図１は、この携帯電話装置の基本的な構成要素を示したブロック図である。
この携帯電話装置は、例えば、２つの筐体（操作部筐体、表示部筐体）が開閉可能に取り付けられた折り畳み自在なもので、通話機能、電子メール機能、インターネット接続機能（Ｗｅｂアクセス機能）などのほか、テレビ放送受信機能、テレビ放送録画機能、録画再生機能（追っかけ再生機能）が備えられている。
【００２２】
ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には、後述する図４〜図６に示す動作手順に応じて本実施形態を実現するためのプログラムが格納され、また、そのデータ領域には、テレビ放送を録画（録画のほか、録音も含む）する３Ｄ放送記録部ＲＭなどが設けられている。記録メディア３は、着脱自在な可搬型メモリで、例えば、ＳＤカード、ＩＣカードなどによって構成され、テレビ放送記録データなどを保存する。メモリ４は、ワーク領域を有する内部メモリであり、必要に応じてメモリ４内の各種のデータは、記憶部２にセーブされる。
【００２３】
電話通信部５は、無線部、ベースバンド部、多重分離部などを備え、例えば、通話機能（音声電話機能）、電子メール機能、インターネット接続機能の動作時に最寄りの基地局（図示せず）との間でデータの送受信を行う電話通信手段で、音声電話機能の動作時にはベースバンド部の受信側から信号を取り込んで受信ベースバンド信号に復調したのち、音声信号処理部６を介して通話用スピーカＳＰから音声出力させ、また、通話用マイクＭＣからの入力音声データを音声信号処理部６から取り込み、送信ベースバンド信号に符号化したのち、ベースバンド部の送信側に与えてアンテナから発信出力させる。操作部７は、ダイヤル入力、文字入力、コマンド入力などを行うもので、テレビ放送受信開始／終了操作、チャンネル変更操作などを行うと、ＣＰＵ１は、操作部７からの入力信号に応じた処理を実行する。
【００２４】
表示部８は、高精細液晶を使用した表示画面（液晶表示パネル）を有し、テレビ映像、文字情報、画像情報、待受画像などを表示するもので、上述した視差バリア方式で３Ｄ（３次元）表示が可能な構成となっている。図２は、表示部８を構成する表示画面を説明するための図で、この表示画面を構成する表示パネル８ａの背面側には、それを照明するバックライト８ｂが配置され、また、その前面側には、３Ｄ画像表示用の視差バリア８ｃが設けられている。この視差バリア８ｃには、等間隔に形成された複数のスリット８ｄが設けられており、ユーザの両眼が表示パネル８ａに対して適正な位置（適正範囲内）にあるときに、視差バリア８ｃのスリット８ｄを通して表示パネル８ａを視覚することで、その両眼視差によって立体視を得るようにしたもので、視差バリア８ｃのスリット８ｄを電気的に形成したり、解消したりするようにしている。
【００２５】
そして、表示部８は、２Ｄ（２次元）画像表示と３Ｄ画像表示との切り替えが可能に構成されており、ＣＰＵ１からの２Ｄ表示／３Ｄ表示の切り替え指令に応答して視差バリア８ｃのスリット８ｄを電気的に形成したり、解消したりすることで３Ｄ表示と２Ｄ表示との切り替えを行うようにしている。この場合、ＣＰＵ１は、３Ｄ画像を取り込んで、それを２Ｄ画像に変換することによって３Ｄ表示から２Ｄ表示への切り替えを行うようにしている。
【００２６】
報知部９は、サウンドスピーカ、ＬＥＤ（発光ダイオード）、振動モータを備え、電話着信時に駆動されて着信報知を行うほか、アラーム報知時にも駆動されるもので、着信報知時には、予め設定されているメロディ音などを設定音量で発生させたり、ＬＥＤを点滅駆動させたり、振動モータを駆動してバイブレーションを発生させたりする。インカメラ１０は、自己の顔などを撮影するＴＶ電話用の撮像部であり、また、アウトカメラ１１は、外界を撮影する通常の撮像部である。そして、インカメラ１０は、そのレンズ系がユーザ（撮影者）側に対面するように表示パネル８ａ側に配置されたカメラであり、アウトカメラ１１は、そのレンズ系がユーザの反対側に向くように外側（インカメラ１０の反対側）に配置されたカメラである。
【００２７】
そして、インカメラ１０、アウトカメラ１１は、撮影レンズ、ミラーなどのレンズ・ミラーブロック、撮像素子、その駆動系のほか、測距センサ、光量センサ、アナログ処理回路、信号処理回路、圧縮伸張回路などを備え、光学ズームを調整制御したり、オートフォーカス時の駆動制御、シャッタ駆動制御、露出、ホワイトバランスなどを制御したりする。ＣＰＵ１は、３Ｄ画像を表示パネル８ａに表示させる際に、インカメラ１０によってユーザの顔を撮影した撮影画像を認識することによって表示パネル８ａに対する左右の眼の位置をユーザの現在位置として取得するようにしている。また、３Ｄ画像を表示パネル８ａに表示させる際に、ＣＰＵ１は、インカメラ１０のオートフォーカス機能を動作させて、表示パネル８ａからユーザまでの距離を測定した測定結果をユーザの現在位置として取得するようにしている。
【００２８】
テレビ放送受信部１２は、携帯電話などの携帯受信機向けの地上波デジタルテレビ放送を受信するもので、テレビ映像及び音声データ以外にも電子番組表（ＥＰＧ）なども含めて受信可能である。テレビ放送受信部１２は、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。このテレビ放送受信部１２がテレビ放送データとして３Ｄ映像（３Ｄ画像）を受信すると、ＣＰＵ１は、この３Ｄ画像を表示部８に表示させるが、その際、表示パネル８ａに対向するユーザの現在位置を取得し、この現在位置が３Ｄ画像を立体視するのに適した適正範囲内にあるか否かを判別し、その判別結果に基づいて３Ｄ画像の表示と録画とを制御するようにしている。
【００２９】
図３は、表示パネル８ａに３Ｄ画像を表示する際に、この表示パネル８ａに対向するユーザの現在位置が３Ｄ画像を立体視するのに適した適正範囲内にあるか否かに応じて３Ｄ画像の表示と録画とがどのように制御されるかを概念的に説明するための図である。
図中、「ＵＰ」は、表示パネル８ａに対向しているユーザの現在位置を示し、「ＲＬ」は、表示パネル８ａからユーザまでの距離において３Ｄ画像を立体視するのに適した所定の位置関係（適正範囲）を示し、「ＲＡ」は、表示パネル８ａをユーザが見る角度において３Ｄ画像を立体視するのに適した所定の位置関係（適正範囲）を示している。ここで、ユーザの現在位置ＵＰが３Ｄ画像を立体視するのに適した適正範囲内にあるか否かは、上述のように画像認識によって得られた左右の眼の位置が適正範囲ＲＡ内にあるか否かによって判別するほか、オートフォーカス機能によって得られたユーザまでの距離が適正範囲ＲＬ内にあるか否かによって判別するようにしている。
【００３０】
なお、図３は、ユーザの現在位置が角度に関する適正範囲ＲＡ内にあるか否かに応じてどのように制御されるかを例示したもので、距離に関する適正範囲ＲＬ内にあるか否かに応じた制御も角度に関する適正範囲ＲＡの場合と同様であるため、それを図示省略したものである。ここで、ＣＰＵ１は、３Ｄ画像の表示を開始する際に及びその表示を開始した以降にユーザの現在位置が適正範囲内にあるか否かを判別し、ユーザの現在位置（角度）が適正範囲ＲＡ内であれば、３Ｄ画像を表示させるが、適正範囲ＲＡから外れて不適正範囲となったときには、この３Ｄ画像を２Ｄ画像に変換して表示させるほか、それ以降に受信した３Ｄ画像を録画させるようにしている。
【００３１】
そして、ユーザの現在位置が不適正範囲から適正範囲ＲＡに戻ったときには、２Ｄ画像から３Ｄ画像に切り替え表示させると共に、３Ｄ画像を録画しながらその録画内容を追っかけ再生するようにしている。このように本実施形態では、３Ｄ放送の視聴中にユーザ位置が適正範囲から外れた場合の対応に限らず、最初（３Ｄ放送の受信開始時）から適正範囲でない場合の対応も考慮するようにしている。
【００３２】
次に、この実施形態における携帯電話装置の動作概念を図４〜図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。なお、図４〜図６は、携帯電話装置の全体動作のうち、本実施形態の特徴部分の動作概要を示したフローチャートであり、この図４〜図６のフローから抜けた際には、全体動作のメインフロー（図示省略）に戻る。
【００３３】
図４〜図６は、テレビ（ＴＶ）放送受信開始を指示するユーザ操作に応じて実行開始されるＴＶ放送受信処理を示したフローチャートフローチャートである。
先ず、ＣＰＵ１は、テレビ放送受信部１２を起動させたのち、チャンネルを選択（受信開始時は前回のチャンネルをデフォルトとして選択）すると共に（図４のステップＳ１）、選択チャンネルのテレビ放送を受信し（ステップＳ２）、３Ｄ放送かを調べる（ステップＳ３）。いま、２Ｄ放送を受信したときには（ステップＳ３でＮＯ）、２Ｄ放送受信表示処理に移り、受信した２Ｄ放送（２Ｄ画像）を表示させたのち（ステップＳ４）、チャンネル変更操作が行われたかを調べたり（ステップＳ５）、テレビ放送の受信終了を指示する終了操作が行われたかを調べたりする（ステップＳ６）。いま、チャンネル変更操作が行われたときには（ステップＳ５でＹＥＳ）、ステップＳ１に戻り、チャンネル選択処理（チャンネル変更処理）を行う。なお、テレビ放送受信終了操作が行われたときには（ステップＳ６でＹＥＳ）、図４〜図６のＴＶ放送受信処理の終了となる。
【００３４】
また、受信したテレビ放送が３Ｄ放送であれば（ステップＳ３でＹＥＳ）、その３Ｄ放送の表示に先立って、表示パネル８ａに対向するユーザの現在位置を取得し、ユーザ位置は３Ｄ画像を立体視するのに適した適正範囲内かをチェックする（ステップＳ７）。すなわち、インカメラ１０を起動させてユーザの顔を撮影した撮影画像を取り込み、この画像内容を認識することによって表示パネル８ａに対する左右の眼の位置をユーザの現在位置として取得し、また、インカメラ１０のオートフォーカス機能を動作させて、表示パネル８ａからユーザまでの距離を測定した測定結果をユーザの現在位置として取得し、ユーザ位置は３Ｄ放送の適正範囲内かを調べる。この場合、上述した画像認識によって得られた左右の眼の位置が適正範囲ＲＡ内にあるかを調べるほか、オートフォーカス機能によって得られたユーザまでの距離が適正範囲ＲＬ内にあるかを調べる。
【００３５】
このように３Ｄ放送の表示に先立って、３Ｄ放送の適正範囲内かを判別した結果、角度、距離の何れか一方あるいは双方が対応する適正範囲から外れているときには（ステップＳ８でＮＯ）、図５のフローに移り、受信した３Ｄ放送を録画（録音も含む）する動作を開始させる（ステップＳ１４）。この場合、受信した３Ｄ放送は、３Ｄ放送記録部ＲＭに順次取り込まれて録画されるが、その際、この３Ｄ画像は２Ｄ画像に変換されて表示パネル８ａに表示される（ステップＳ１５）。そして、チャンネル変更操作が行われたり（ステップＳ１６）、テレビ放送の受信終了を指示する終了操作が行われたりするまで（ステップＳ１９）、ＣＰＵ１は、３Ｄ放送を録画しながらその３Ｄ画像を２Ｄ画像に変換表示させる。
【００３６】
この状態において、チャンネル変更操作が行われると（ステップＳ１６でＹＥＳ）、録画動作を終了させたのち（ステップＳ１７）、３Ｄ放送の適正範囲から外れていることに起因して３Ｄ放送を録画したことを示す録画有りアイコンを表示させる（ステップＳ１８）。そして、図４のステップＳ１に戻ってチャンネル選択処理（チャンネル変更処理）を行う。また、テレビ放送の受信終了を指示する終了操作が行われたときには（図５のステップＳ１９でＹＥＳ）、上述と同様に、録画動作を終了させると共に（ステップＳ２０）、録画有りアイコンを表示させる（ステップＳ２１）。その後、図４〜図６のＴＶ放送受信処理の終了となる。
【００３７】
また、３Ｄ放送の表示に先立って、３Ｄ放送の適正範囲内かを判別した結果、角度、距離の双方が共に、その適正範囲内であれば（図４のステップＳ８でＹＥＳ）、３Ｄ放送受信表示処理に移り、受信した３Ｄ放送（３Ｄ画像）を表示パネル８ａに表示させる（ステップＳ９）。なお、３Ｄ表示を行う際には、その立体視をより見やすくするために通常表示（２Ｄ表示）よりもバックライト８ｂの輝度を上げるようにしている。そして、３Ｄ画像の表示を開始した以降においても、ユーザの現在位置を取得して、３Ｄ画像を立体視するのに適した適正範囲内かをチェックする（ステップＳ１０）。
【００３８】
３Ｄ放送の適正範囲内のままであれば（ステップＳ１１でＹＥＳ）、チャンネル変更操作が行われたかを調べたり（ステップＳ１２）、テレビ放送の受信終了を指示する終了操作が行われたかを調べたりする（ステップＳ１３）。いま、チャンネル変更操作や終了操作が行われなければ（ステップＳ１３でＮＯ）、上述のステップＳ９に戻り、そのまま３Ｄ画像の表示を継続させるが、チャンネル変更操作が行われたときには（ステップＳ１２でＹＥＳ）、上述のステップＳ１に戻ってチャンネル選択処理（チャンネル変更処理）を行い、テレビ放送受信終了操作が行われたときには（ステップＳ１３でＹＥＳ）、図４〜図６のＴＶ放送受信処理の終了となる。
【００３９】
そして、３Ｄ画像の表示を開始した以降において、ユーザの現在位置が３Ｄ放送の適正範囲から外れると（ステップＳ１１でＮＯ）、図６のフローに移り、ユーザの位置が適正範囲から不適正位置にずれたことをアラーム報知するほか（ステップＳ２２）、受信した３Ｄ放送を取り込んで、３Ｄ放送記録部ＲＭに録画する録画動作を開始させる（ステップＳ２３）。そして、バックライト８ｂの輝度を下げたのち（ステップＳ２４）、３Ｄ画像を２Ｄ画像に変換して表示パネル８ａに表示させることによって３Ｄ表示から２Ｄ表示への切り替えを行う（ステップＳ２５）。
【００４０】
なお、上述したように３Ｄ表示時にはその立体視を見やすくするために通常の２Ｄ表示時よりもバックライト８ｂの輝度を上げるようにしているため、３Ｄ表示から２Ｄ表示への切り替え時には、バックライト８ｂの輝度を通常の状態まで下げるほか、ユーザが表示パネル８ａを見ていない可能性もあるので、電力消費を減らす意味でも輝度を落とし、更に、適正範囲から外れたことをユーザに報知して注意を喚起させるためにも輝度を落とすようにしている。
【００４１】
このように３Ｄ放送の視聴中に適正範囲から不適正位置にずれたときには、３Ｄ放送を録画しながらその３Ｄ画像を２Ｄ画像に変換表示させるが、この３Ｄ放送の録画と２Ｄ画像への変換表示は、ユーザが不適正位置であることに気づくまで継続される。すなわち、３Ｄ放送の録画を開始して２Ｄ画像への変換表示を行ったのち（ステップＳ２５）、ユーザの現在位置を取得し、３Ｄ放送の適正範囲内かをチェックし（ステップＳ２６）、適正範囲から外れたままであれば（ステップＳ２７でＮＯ）、上述のステップＳ２５に戻り、３Ｄ放送の録画と２Ｄ画像への変換表示を継続させる。
【００４２】
いま、ユーザがアラーム報知などによって不適正な位置であることに気づいた場合や適正範囲で見ることに支障がなくなったような場合に、ユーザの位置が不適正位置から適正範囲に戻ったときには（ステップＳ２７でＹＥＳ）、上述のように自動録画した３Ｄ放送の録画内容を再生するかを問い合わせるメッセージを表示画面８に表示させる（ステップＳ２８）。この場合、再生を拒否する応答操作が行われると（ステップＳ２９でＮＯ）、図４のステップＳ９に戻って３Ｄ画像を表示させるが、再生を肯定する応答操作が行われたときには（ステップＳ２９でＹＥＳ）、３Ｄ放送記録部ＲＭの録画内容を読み出して、追っかけ再生（早送り再生）を開始させる（ステップＳ３０）。なお、この追っかけ再生（早送り再生）は、受信した３Ｄ放送を録画しながら、例えば、１．３倍速で再生したり、コマーシャル部分をスキャンして再生したりするもので、これによって表示パネル８ａには適正範囲から不適正位置にずれたときの３Ｄ録画内容から順次早送り再生される結果、そのうち再生位置は録画位置に追いつくようになる。
【００４３】
このような追っかけ再生中においても、ユーザの現在位置を取得して、３Ｄ放送の適正範囲内かをチェックする（ステップＳ３１）。いま、追っかけ再生中に適正範囲からずれたときには（ステップＳ３２でＮＯ）、３Ｃ画像の再生を停止させたのち（ステップＳ３４）、上述のステップＳ３１に戻り、適正範囲に復帰するまで停止状態となる。また、追っかけ再生中にユーザの現在位置が適正範囲内であれば（ステップＳ３２でＹＥＳ）、現在の再生位置が現在の録画位置と比較し、再生位置が録画位置に追いついたかを調べ（ステップＳ３３）、再生位置が録画位置に追いつくまで上述のステップＳ３０に戻って追っかけ再生を継続させるが、録画位置に追いついたときには（ステップＳ３３でＹＥＳ）、図４のステップＳ９に戻り、録画内容の３Ｄ表示から現在放送中の３Ｄ表示に切り替える。
【００４４】
以上のように、この実施形態においてＣＰＵ１は、テレビ放送受信部１２がテレビ放送データとして３Ｄ画像を受信すると、この３Ｄ画像を表示する表示パネル８ａに表示させるが、その際、この表示パネル８ａに対向するユーザの現在位置が３Ｄ画像を立体視するのに適した適正範囲内にあるか否かを判別し、その判別結果に基づいて３Ｄ画像の表示と録画とを制御するようにしたので、例えば、ユーザが３Ｄ画像を良好に立体視できない位置にいても、ユーザに特別な操作を要求することなく、後でその３Ｄ画像を見ることができ、操作性の向上と共に、３Ｄ画像の見逃しを効果的に防ぐことが可能となる。例えば、ユーザが３Ｄ放送を確実に立体視できない状況や位置にいるときにはその録画内容を見ることができ、ユーザが３Ｄ画像を立体視できる位置や状況になったときには受信中の３Ｄ放送を視聴することができる。
【００４５】
ユーザの現在位置が適正範囲内にあれば、３Ｄ画像を表示パネル８ａに表示させ、適正範囲から外れていれば、３Ｄ画像の録画させるようにしたので、例えば、何らかの事情によって視聴位置をずらさなければならないような場合、従来では、ぶれた３Ｄ画像をそのまま見続けるか、２Ｄ画像に切り替えて見るしかないが、この実施形態では、ユーザにとって都合の良いときに、３Ｄ画像を見ることができる。
【００４６】
３Ｄ画像の表示を開始する際にユーザの現在位置が適正範囲内にあれば、３Ｄ画像を表示パネル８ａに表示させ、３Ｄ画像の表示開始後に適正範囲から外れたときには、それ以降に受信した３Ｄ画像を録画させるようにしたので、例えば、３Ｄ画像を見ている途中で、ユーザの位置が移動したとしても、それに応じて適切な制御が可能となる。
【００４７】
３Ｄ画像の表示を開始する際にユーザの現在位置が適正範囲内にあれば、３Ｄ画像を表示パネル８ａに表示させ、３Ｄ画像の表示開始後に適正範囲から外れたときには、それ以降に受信した３Ｄ画像を録画させるほか、この録画開始後に適正範囲に復帰したときには、その録画内容を再生させるようにしたので、例えば、３Ｄ画像を見ている途中で、ユーザの位置が移動したとしても、それに応じて適切な制御が可能となるほか、適正範囲から外れている間の録画内容を適正範囲に復帰直後に見ることができる。
【００４８】
ユーザの現在位置が適正範囲から外れている場合に、表示パネル８ａに３Ｄ画像に代わって当該３Ｄ画像を２Ｄ変換した２Ｄ画像を切り替え表示させるようにしたので、何らかの事情によって視聴位置をずらさなければならないような場合に、ぶれた３Ｄ画像よりも鮮明な２Ｄ画像を見ることができ、実情に即したものとなる。
【００４９】
表示パネル８ａに３Ｄ画像に代わって２Ｄ画像を切り替え表示させる際に、表示パネル８ａを照明するバックライトの輝度を落とすようにしたので、電力消費を減らすことができると共に、適正範囲から外れたことをユーザに報知して注意を喚起させることができる。
【００５０】
表示パネル８ａに３Ｄ画像に代わって２Ｄ画像を切り替え表示させた後においてユーザの現在位置が適正範囲内に復帰したときには、２Ｄ画像に代わって３Ｄ画像を表示させるようにしたので、ユーザの位置に追随した３Ｄ表示が可能となる。これによって追っかけ再生を希望しない場合には、受信中の３Ｄ放送を視聴することができる。
【００５１】
３Ｄ画像の表示を開始する際にユーザの現在位置が適正範囲から外れているときには、３Ｄ画像の録画を開始させるようにしたので、３Ｄ画像を見ている途中でユーザの位置が移動した場合に限らず、表示開始時でも適切な制御が可能となる。すなわち、３Ｄ放送の視聴中にユーザ位置が適正範囲から外れた場合の対応に限らず、最初（３Ｄ放送の受信開始時）から適正範囲でない場合も対応することができる。
【００５２】
３Ｄ画像の録画開始に伴って、表示パネル８ａに３Ｄ画像に代わって当該３Ｄ画像を２Ｄに変換した２Ｄ画像を表示させるようにしたので、何らかの事情によって視聴位置をずらさなければならないような場合に効果的であるほか、その後で何時でも自由に３Ｄ画像を見ることができる。
【００５３】
ＣＰＵ１は、受信したテレビ放送データが３Ｄ画像を含む３Ｄ放送か否かを判別するほか、３Ｄ放送を受信した場合にユーザの現在位置が適正範囲内にあるか否かを判別するようにしたので、３Ｄ放送の受信に応答してユーザの位置が適正か否かを判別することができる。
【００５４】
表示パネル８ａに対向するユーザを撮影した撮影画像を認識して左右の眼の位置をユーザの現在位置として取得して適正範囲内にあるか否かを判別するようにしたので、適正範囲は、表示パネル８ａに対してユーザが見る角度に関するものとなり、その角度が適正か否かを判別することができる。
【００５５】
表示パネル８ａからユーザまでの距離を測定した測定結果をユーザの現在位置として取得して適正範囲内にあるか否かを判別するようにしたので、適正範囲は、表示パネル８ａからユーザまでの距離に関するものとなり、その距離が適正か否かを判別することができる。
【００５６】
なお、上述した実施形態においては、ユーザを撮影した撮影画像を認識して左右の眼の位置をユーザの現在位置として取得して適正範囲内にあるか否かを判別するようにしたが、表示パネル８ａにユーザが正対しているか否かをオートフォーカス機能によって測定して適正範囲内か否かを判別するようにしてもよい。この場合、ユーザが正対していれば、適正範囲であると判別することができる。
【００５７】
また、上述した実施形態においては、左右の眼の位置を現在の位置として検出するようにしたが、眼の位置に限らず、鼻の位置、耳の位置などであってもよく、適正範囲を特定する境界が鼻の位置であれば、適正範囲内としてもよい。また、適正範囲からずれた場合に、そのずれ量を計測して報知するようにしてもよい。このずれ量は角度に関する適正範囲、距離に関する適正範囲の何れであってもよい。
【００５８】
上述した実施形態においては、表示パネル８ａとして液晶表示パネルを例示したが、液晶表示パネルに限らず、有機ＥＬなどを使用した表示パネルなどであってもよい。
その他、放送受信端末装置としては、テレビ放送受信機能を備えた携帯電話装置に限らず、例えば、テレビ放送受信機能を備えたＰＤＡ・デジタルカメラ・電子腕時計などであってもよい。
【図面の簡単な説明】
【００５９】
【図１】携帯端末装置として適用した携帯電話装置の基本的な構成要素を示したブロック図。
【図２】表示画面を説明するための図。
【図３】表示パネル８ａに３Ｄ画像を表示する際に、この表示パネル８ａに対向するユーザの現在位置が３Ｄ画像を立体視するのに適した適正範囲内にあるか否かに応じて３Ｄ画像の表示と録画とがどのように制御されるかを概念的に説明するための図。
【図４】テレビ放送受信開始を指示するユーザ操作に応じて実行開始されるＴＶ放送受信処理を示したフローチャートフローチャート。
【図５】図４に続く動作を示したフローチャート。
【図６】図４に続く動作を示したフローチャート。
【符号の説明】
【００６０】
１  ＣＰＵ
２  記憶部
３  記録メディア
５  電話通信部
７  操作部
８  表示部
８ａ  表示パネル
８ｂ  バックライト
８ｃ  視差バリア
８ｄ  スリット
９  報知部
１０  インカメラ
１２  テレビ放送受信部
ＵＰ  ユーザの現在位置
ＲＡ  角度に関する適正範囲
ＲＬ  距離に関する適正範囲
【図１】
0004979136.tif 000002
【図２】
0004979136.tif 000003
【図３】
0004979136.tif 000004
【図４】
0004979136.tif 000005
【図５】
0004979136.tif 000006
【図６】
0004979136.tif 000007